(57)【要約】      （修正有）【課題】マット部材を所望の配置構成で連結することができ、幼児や子供の好奇心をそそり、興趣につきないマット玩具を提供する。【解決手段】複数のマット部材１が互いに平面上に連結されてなるマット玩具Ｍであって、マット部材は、正方形に形成され、マット部材の各辺部に他のマット部材と連結するための連結凸部１ａおよび連結凹部１ｂが形成されるとともに、表面に開口部が形成され、開口部に文字、記号、図柄が表示された嵌込ピースが嵌め込まれている。【選択図】図１
0003222445.tif 000002
【実用新案登録請求の範囲】
【請求項１】
複数のマット部材が互いに平面上に連結されてなるマット玩具であって、
前記マット部材は、正多角形に形成され、該マット部材の各辺部に他のマット部材と連結するための連結部が形成されるとともに、表面に開口部が形成され、該開口部に文字、記号、図柄が表示された嵌込ピースが嵌め込まれていることを特徴とするマット玩具。
【請求項２】
前記マット部材は、前記嵌込ピースが別の前記マット部材の嵌込ピースと同一の形状に形成されている請求項１に記載のマット玩具。
【請求項３】
前記マット部材は、表面に前記各辺部の中央部に向けて伸びる道路、線路、空路などの路の図柄が表示されている請求項１または請求項２に記載のマット玩具。
【請求項４】
複数の前記マット部材が互いに平面上に連結された状態において最外周部を取り囲む環状部材が設けられ、
前記環状部材は、内辺部に前記マット部材と連結するための連結部が形成されるとともに、外辺部がフラットに形成され、かつ複数に分割可能に形成されている請求項１から請求項３のいずれかに記載のマット玩具。
【請求項５】
前記マット部材は、表面に滑り止め用の凹凸が形成されている請求項１から請求項４のいずれかに記載のマット玩具。
【請求項６】
前記マット部材は、ポリエチレン樹脂又はＥＶＡ樹脂からなる請求項１から請求項５のいずれかに記載のマット玩具。
【考案の詳細な説明】
【技術分野】
【０００１】
本考案は、幼児や子供の遊技に使用されるマット玩具に関するものである。
【背景技術】
【０００２】
従来、幼児や子供の遊技に使用される玩具の一つとしてマット玩具が知られている。このマット玩具は、複数のクッション性のマット部材からなり、幼児や子供がそれらマット部材を互いに連結しながら組み立てていくものである。そして、各マット部材には、通常、動物や乗物などの図柄が表示されており、外観上の意匠性も工夫がなされているものが多い（特許文献１参照）。
【０００３】
これにより幼児や子供は図柄を楽しみながら組み立てることができ、また組み立てたあとはマット上で座りながら絵本を読んだり、あるいはその他の遊技に興じることができる。
【先行技術文献】
【特許文献】
【０００４】
【特許文献１】実用新案登録第３０７１６６２号公報
【考案の概要】
【考案が解決しようとする課題】
【０００５】
しかしながら、従来のマット玩具では、単に表面に動物や乗物などの図柄が表示されているだけなので、幼児や子供にとって飽きやすいものであり、一度あるいは何度か組み立てたあとはそのままの状態である場合が多いという問題があった。
【０００６】
本考案は、上述の問題に鑑みてなされたものであり、マット部材を所望の配置構成で連結することができ、幼児や子供の好奇心をそそり、興趣につきないマット玩具を提供することを目的とする。
【課題を解決するための手段】
【０００７】
本考案は、上記目的を達成するために、複数のマット部材が互いに平面上に連結されてなるマット玩具であって、前記マット部材は、正多角形に形成され、該マット部材の各辺部に他のマット部材と連結するための連結部が形成されるとともに、表面に開口部が形成され、該開口部に文字、記号、図柄が表示された嵌込ピースが嵌め込まれていることを特徴とする。
【０００８】
これによれば、幼児や子供は、連結後あるいは連結前のマット部材から嵌込ピースを取り外すことにより、嵌込ピースを用いた遊技に興じることができる。具体的には、取り外した嵌込ピースをマット部材の表面に沿って歩かせて遊ぶことができる。さらに、各マット部材を連結する配置構成は膨大なものとなるため、マット部材の配置構成を変更するたびに嵌込ピースの配置構成も異なるものに変化して、幼児や子供の好奇心をそそり興趣につきないものとすることができる。
【０００９】
また、前記マット部材は、前記嵌込ピースが別の前記マット部材の嵌込ピースと同一の形状に形成されているのが好ましい。これによれば、嵌込ピースをマット部材から別のマット部材に入れ替えてパズルのように遊ぶことができる。
【００１０】
また、前記マット部材は、表面に前記各辺部の中央部に向けて伸びる道路、線路、空路などの路の図柄が表示されているのが好ましい。これによれば、各マット部材をどのような配置構成で連結しても各辺部の路の図柄が一致して連続した状態となるため、出来上がった様々な構成の路の図柄を辿り、あるいは路の図柄に沿って嵌込ピースを歩かせ、あるいは路の図柄に沿って他の乗物や動物のおもちゃを走らせるなどのようにして遊ぶことができる。
【００１１】
また、複数の前記マット部材が互いに平面上に連結された状態において最外周部を取り囲む環状部材が設けられ、前記環状部材は、内辺部に前記マット部材と連結するための連結部が形成されるとともに、外辺部がフラットに形成され、かつ複数に分割可能に形成されているのが好ましい。これによれば、マット玩具の最外周をフラットにすることができ、マットとしての外観上の意匠性を向上させることができる。
【００１２】
また、前記マット部材は、表面に滑り止め用の凹凸が形成されているのが好ましい。これによれば、幼児や子供はマット玩具上で走り回ったりしても滑って転ぶことを防止することができる。
【００１３】
また、前記マット部材は、ポリエチレン樹脂又はＥＶＡ樹脂からなるのが好ましい。これによれば、耐水性、耐湿性の他、耐酸性、耐アルカリ性など耐薬品性を備えることができるとともに、幼児や子供が接触しても安心な柔軟性を備えることができる。
【考案の効果】
【００１４】
本考案によれば、幼児や子供は、連結後あるいは連結前のマット部材から嵌込ピースを取り外すことにより、嵌込ピースを用いた遊技に興じることができる。具体的には、取り外した嵌込ピースをマット部材の表面に沿って歩かせて遊ぶことができる。また、マット部材の嵌込ピースが別のマット部材の嵌込ピースと同一の形状に形成されている場合には、嵌込ピースをマット部材から別のマット部材に入れ替えてパズルのように遊ぶことができる。さらに、各マット部材を連結する配置構成は膨大なものとなるため、マット部材の配置構成を変更するたびに嵌込ピースの配置構成も異なるものに変化して、幼児や子供の好奇心をそそり興趣につきないものとすることができる。
【図面の簡単な説明】
【００１５】
【図１】本発明の一実施形態に係るマット玩具の斜視図である。
【図２】マット玩具におけるマット部材の第１の拡大図である。
【図３】マット玩具におけるマット部材の第２の拡大図である。
【図４】マット玩具を連結した状態を示す平面図である。
【図５】マット玩具の連結例を示す平面図である。
【考案を実施するための形態】
【００１６】
次に、本考案に係るマット玩具の一の実施形態について図１〜図５を参照しつつ説明する。  
【００１７】
本マット玩具Ｍは、図１に示すように、複数のマット部材１が互いに平面上に連結されて構成されるものである。
【００１８】
前記マット部材１は、図２〜図３に示すように、縦３００ｍｍ、横３００ｍｍ、厚さ１０ｍｍの正方形のクッション材により形成されている。このクッション材としては、例えばコルク、ポリエチレン樹脂、ＥＶＡ樹脂などが挙げられる。特にポリエチレン樹脂やＥＶＡ樹脂は、耐水性、耐湿性に優れる素材で尚且つ、耐酸性、耐アルカリ性など耐薬品性に優れているほか、柔軟性にも優れ、ソフトな感触であるためより好ましい。なお、本実施形態では、マット部材１は、ポリエチレン樹脂により形成されている。
【００１９】
また、前記マット部材１は、上下左右の各辺部に他のマット部材１と連結するための複数の連結凸部１ａが形成されている。この連結凸部１ａは、それぞれ上部が３５ｍｍの幅広、根本部が２４ｍｍの幅狭に形成されており、それに伴って連結凸部１ａの間には同大同形の連結凹部１ｂが形成されている。このため、隣り合うマット部材１を垂直方向にスライドさせながら互いの連結凸部１ａを互いの連結凹部１ｂに嵌め込むことにより、互いのマット部材１が平面方向に対する力に対して外れない態様で連結される。
【００２０】
而して、各マット部材１ごとに上記連結を繰り返していけば一つのシート状のマット玩具Ｍとすることができる。本実施形態では、マット玩具Ｍが９枚のマット部材１からなるため、各マット部材１を縦３列および横３列に連結すれば、図４に示すように、全体が正方形のシート状のマット玩具Ｍを完成することができる。
【００２１】
また、前記マット部材１は、図２〜図３に示すように、表面に道路、線路、空路等の路の図柄１０が表示されている。なお、本実施形態では、路の図柄１０として道路の図柄が表示されている。また、前記マット部材１は、それぞれ表面に建物あるいは草木などの図柄が表示されるほか、人物や動物などのキャラクターも表示されている。
【００２２】
したがって、各マット部材１を平面上に連結していくと、表面に建物、草木、人物あるいは動物などからなる一つのアミューズメントパークが構成される。また、例えば図５に示すようにマット部材１の配置箇所を変更することにより建物、草木、人物あるいは動物の配置も種々に変更可能である。
【００２３】
さらに、前記マット部材１は、各辺部の中央部に向けて伸びる路の図柄１０が各マット部材１ごとに種々表示されている。具体的には、前記マット部材１は、第１のマット部材１１と第２のマット部材１２との２タイプに分かれており、第１のマット部材１１は、図２に示すように、上辺部の中央部から右辺部の中央部に向けて円弧状に伸びる路の図柄１０ａと、下辺部の中央部から左辺部の中央部に向けて円弧状に伸びる路の図柄１０ｂと、路の図柄１０ａの中央部と路の図柄１０ｂの中央部とを結ぶ路の図柄１０ｃが表示されている。他方、第２のマット部材１２は、図３に示すように、中央部に配置された長方形状の路の図柄１０ｄと、上辺部の中央部から長方形状の路の図柄１０ｄの上辺部の中央部に向けて直線状に伸びる路の図柄１０ｅと、右辺部の中央部から路の図柄１０ｄの右辺部の中央部に向けて直線状に伸びる路の図柄１０ｆと、下辺部の中央部から路の図柄１０ｄの下辺部の中央部に向けて直線状に伸びる路の図柄１０ｇと、左辺部の中央部から路の図柄１０ｄの左辺部の中央部に向けて直線状に伸びる路の図柄１０ｈが表示されている。このため、例えば図５に示すように各マット部材１をどのような配置構成で連結しても各辺部の路の図柄が一致して連続した路となり、しかも路の組み合わせの種類は膨大なものとなる。なお、図５における各数字はマット部材１の配置箇所を分かりやすくするために仮想的に付した番号である。
【００２４】
また、前記第１のマット部材１１は、図２に示すように、表面の前記路の図柄１０と干渉しない右上エリア、右下エリア、左上エリア、左下エリアに開口部１１ａ〜１１ｄが形成され、各開口部１１ａ〜１１ｄに文字、記号、図柄が表示された嵌込ピース２０が表面側に取り外し可能な態様で嵌め込まれている。なお、嵌込ピース２０は、マット部材１と同一のクッション材で形成されており、本実施形態では人物や動物などのキャラクターが表示されている。
【００２５】
また、前記第１のマット部材１１は、各嵌込ピース２０が別の第１のマット部材１１の嵌込ピース２０と同一の形状に形成されている一方、一の第１のマット部材１１内では互いに異なる形状に形成されている。また、各嵌込ピース２０は互いに異なる図柄が表示されている。
【００２６】
このため、幼児や子供は、連結後あるいは連結前の第１のマット部材１１から嵌込ピース２０を取り外すことにより、嵌込ピース２０を用いた遊技に興じることができる。具体的には、取り外した嵌込ピース２０をマット部材１の表面の路の図柄１０に沿って歩かせて遊んだり、嵌込ピース２０を第１のマット部材１１の開口部１１ａ〜１１ｄから別の第１のマット部材１１の開口部１１ａ〜１１ｄに入れ替えてパズルのように遊ぶことができる。さらに、各マット部材１を連結する配置構成は膨大なものとなるため、マット部材１の配置構成を変更するたびに嵌込ピース２０の配置構成も異なるものに変化し、幼児や子供の好奇心をそそり興趣につきないものとすることができる。
【００２７】
また、前記マット部材１は、エンボス加工等により表面に滑り止め用の凹凸が形成されるのが好ましい。これにより幼児や子供はマット玩具Ｍ上で走り回ったりしても滑って転ぶことを防止することができる。
【００２８】
また、マット玩具Ｍは、複数の前記マット部材１が互いに平面上に連結された状態において最外周部を取り囲む環状部材２が設けられている。この環状部材２は、内辺部にマット部材１と連結するための連結凸部２ａが形成されるとともに、外辺部がフラットに形成されている。また、環状部材２は、複数に分割可能に形成されており、本実施形態では１２片に分割される。
【００２９】
これにより、最外周部のマット部材１の外側の連結凹部１ｂと環状部材２の連結凸部２ａとを連結させれば、マット玩具Ｍの最外周部をフラットな状態にすることができ、マットとしての外観上の意匠性を向上させることができる。
【００３０】
なお、本実施形態では、マット部材１は、上記大きさのものを９枚連結するものとしたが、その他の大きさのものやその他の枚数のものであってもよい。
【００３１】
また、マット部材１は、互いの連結凸部１ａを互いの連結凹部１ｂに嵌め込むことにより連結するものとしたが、その他の構造により連結するものであってもよい。
【００３２】
また、マット部材１は、正方形としたが、その他の正多角形であってもよい。
【００３３】
また、マット部材１は、平面方向に連結したときの図柄が、建物、草木、人物あるいは動物などからなる一つのアミューズメントパークであるものとしたが、街や駅などその他の図柄であってもよい。
【００３４】
また、環状部材２は、１２片に分割可能に形成されるものとしたが、あるいはその他の枚数に分割可能であってもよい。また、環状部材２は、必ずしも設けられる必要はなく、マット玩具Ｍをマット部材１のみで構成するものであってもよい。
【００３５】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００３６】
１・・・マット部材
１ａ・・・連結凸部
１ｂ・・・連結凹部
１１・・・第１のマット部材
１１ａ〜１１ｄ・・・開口部
１２・・・第２のマット部材
１０・・・路の図柄
２０・・・嵌込ピース
２・・・環状部材
２ａ・・・連結凸部（連結部）
Ｍ・・・マット玩具
【図１】
0003222445.tif 000003
【図２】
0003222445.tif 000004
【図３】
0003222445.tif 000005
【図４】
0003222445.tif 000006
【図５】
0003222445.tif 000007